(57)【要約】【課題】皮膚または髪に対して組成物を適用するための収容適用デバイスを改良すること。【解決手段】収容適用デバイス（１）であって、−組成物（Ｐ）を収容しているリザーバ（２）と；−リザーバに対して固定される支持体（１０）と；−この支持体に付設されている非多孔性メンブランであるとともに、ディスペンサオリフィス（１５）を備え、さらに、フロック部分（１３）によって外面が被覆されている、非多孔性メンブラン（１２）と；を具備し、メンブランが、変形し得るものとされている、あるいは、支持体および／またはリザーバに対して変位し得るものとされている。【選択図】図２
2007216025.tif 000002
【特許請求の範囲】
【請求項１】
収容適用デバイスであって、
−適用のための少なくとも１つの組成物（Ｐ）を収容しているリザーバ（２）と；
−前記組成物の適用時および前記デバイスの閉塞状態の一方または双方においては、前記リザーバに対して固定される支持体（１０）と；
−この支持体に付設されている非多孔性メンブランであるとともに、前記組成物を通過させて導出するための少なくとも１つのディスペンサオリフィス（１５）を備え、さらに、フロック部分（１３）によって外面の少なくとも一部が被覆されているような、非多孔性メンブラン（１２）と；
を具備し、
前記メンブランが、前記支持体および前記リザーバの一方または双方と協働することによって、前記組成物を収容するための内部空間（２９）を形成し、
前記メンブランが、変形し得るという性能、および、前記支持体および／または前記リザーバに対して変位し得るという性能、の一方または双方を達成し得るようにして、フレキシブルなものとされている構成、および、前記支持体および／または前記リザーバに対して取り付けられているという構成の一方または双方の構成とされ、
前記メンブランの前記変形および／または前記変位に基づいて、前記内部空間の容積が、少なくとも０．１ｍＬだけ低減されることを特徴とする収容適用デバイス。
【請求項２】
収容適用デバイス（１）であって、
−適用のための組成物（Ｐ）を収容しているリザーバ（２）と；
−前記組成物の適用時および前記デバイスの閉塞状態の一方または双方においては、前記リザーバに対して固定される支持体（１０）と；
−この支持体に付設されている非多孔性メンブランであるとともに、前記組成物を通過させて導出するための少なくとも１つのディスペンサオリフィス（１５）を備え、さらに、フロック部分（１３）によって外面の少なくとも一部が周縁部分（３１）までにわたって被覆されているような、非多孔性メンブラン（１２）と；
を具備し、
前記メンブランが、前記周縁部分が変形し得るという性能、および、前記周縁部分が前記支持体および／または前記リザーバに対して変位し得るという性能、の一方または双方を達成し得るようにして、前記支持体および／または前記リザーバに対して取り付けられていることを特徴とする収容適用デバイス。
【請求項３】
収容適用デバイスであって、
−適用のための少なくとも１つの組成物（Ｐ）を収容しているリザーバ（２）と；
−前記組成物の適用時および前記デバイスの閉塞状態の一方または双方においては、前記リザーバに対して固定される支持体（１０）と；
−この支持体に付設されている非多孔性メンブランであるとともに、前記組成物を通過させて導出するための少なくとも１つのディスペンサオリフィス（１５）を備え、さらに、フロック部分（１３）によって外面の少なくとも一部が被覆されているような、非多孔性メンブラン（１２）と；
を具備し、
前記メンブランが、前記支持体および前記リザーバの一方または双方と協働することによって、前記組成物を収容するための内部空間（２９）を形成し、
前記メンブランが、変形し得るという性能、および、前記支持体および／または前記リザーバに対して変位し得るという性能、の一方または双方を達成し得るようにして、フレキシブルなものとされている構成、および、前記支持体および／または前記リザーバに対して取り付けられているという構成の一方または双方の構成とされ、
前記メンブランの前記変形および／または前記変位に基づいて、前記内部空間の容積を低減させることができ、
前記メンブランの前記フロック部分（１３）が、１５ｍｍ以上という距離（ｋ）にわたって、前記デバイスの長手方向軸線（Ｘ）に対する横方向に延在していることを特徴とする収容適用デバイス。
【請求項４】
請求項１〜３のいずれか１項に記載の収容適用デバイスにおいて、
前記メンブランが、前記ディスペンサオリフィス（１５）と連通する少なくとも１つのダクト（１８）と一緒に成型によって形成され、
前記ダクト（１８）が、前記デバイスの筒状部材（１９）の内部に沿ってまたは外部に沿ってスライドすることを特徴とする収容適用デバイス。
【請求項５】
請求項１〜４のいずれか１項に記載の収容適用デバイスにおいて、
前記組成物が、特定の色を有している場合に、前記メンブラン（１２）が、その色と実質的に同じ色のものとして形成されていることを特徴とする収容適用デバイス。
【請求項６】
請求項１〜５のいずれか１項に記載の収容適用デバイスにおいて、
前記メンブランが、ベローズ（３７）という形状とされた弾性変形可能部分を有して形成された周縁スカート（２６）と一緒に成型によって形成されていることを特徴とする収容適用デバイス。
【請求項７】
請求項１〜５のいずれか１項に記載の収容適用デバイスにおいて、
前記メンブランが、前記リザーバ（２）と前記支持体（１０）との間にクランプされて固定されるリム（７０）を備えていることを特徴とする収容適用デバイス。
【請求項８】
請求項１〜７のいずれか１項に記載の収容適用デバイスにおいて、
前記デバイスが、閉塞キャップを具備し、
この閉塞キャップが、前記ディスペンサオリフィスを囲むラインに沿って前記メンブランに対して係止されるリップ（８５）を備えていることを特徴とする収容適用デバイス。
【請求項９】
請求項１〜８のいずれか１項に記載の収容適用デバイスにおいて、
前記デバイスが、閉塞キャップを具備し、
この閉塞キャップが、前記支持体または前記リザーバと協働することによって、前記閉塞キャップと、前記支持体または前記リザーバと、の間において、前記ディスペンサオリフィスを囲むラインに沿って前記メンブランを押圧することを特徴とする収容適用デバイス。
【請求項１０】
請求項１〜９のいずれか１項に記載の収容適用デバイスにおいて、
前記デバイスが、閉塞キャップを具備し、
この閉塞キャップが、前記デバイスの前記閉塞状態において、前記メンブランの前記少なくとも１つのフロック部分を外部空気に対して連通させ得る１つまたは複数の穴（９０）を備えていることを特徴とする収容適用デバイス。
【発明の詳細な説明】
【技術分野】
【０００１】
本発明は、例えば身体や顔や髪のためのメークアップ製品またはケア製品といったような少なくとも１つの化粧品または皮膚製品を適用するための収容適用デバイスに関するものである。
【背景技術】
【０００２】
例えば発泡体といったような多孔性アプリケータ部材を備えた多数のアプリケータが、公知である。そのようなアプリケータは、特に特許文献１〜３によって公知である。
【０００３】
それらアプリケータ部材は、全体的には使い勝手の良いものではあるけれども、それらアプリケータ部材は、それでもなお、いくつかの欠点を有している。
【０００４】
まず最初に、それらアプリケータ部材においては、潜在的に、組成物のいくらかが、発泡体の孔の中に残ってしまって、適用することができない。そのため、組成物の損失となる。これは、特に、デバイスの使用期間内に発泡体が数回にわたって洗浄される場合に、顕著である、
【０００５】
加えて、アプリケータ部材に関しては、発泡体から形成した場合には、使い勝手の良いように非常に圧縮性の大きなものとする特性と、デバイスに対して十分に頑丈に取り付け得る特性と、を両立させることが困難であることが判明している。
【０００６】
最後に、使用時には、発泡体は、望ましくない摩擦感覚を引き起こす可能性がある。
【０００７】
加えて、収容適用デバイスに関しては、適用表面を、貫通した１つまたは複数のオリフィスを有した非多孔性メンブランによって形成することが、公知である。そのようなデバイスは、通常は、脱臭組成物またはマッサージ組成物を適用するに際して使用される。このような組成物の適用においては、適用状態の重要性は、メークアップの場合よりも、重大ではない。なぜなら、メークアップにおいては、多くの場合、視認し得る適用欠陥を一切引き起こすことなく比較的一様な塗布が要求されるからである。
【０００８】
特許文献４〜６は、そのようなタイプのデバイスを開示している。
【０００９】
上記特許文献４，６においては、フレキシブルなものとされたメンブランが、剛直部分上に載置されているとともに、組成物の圧力によって開くようなバルブを形成することができる。
【００１０】
上記特許文献５においては、メンブランが、発泡体ブロック上に載置されている。変形例において、アプリケータ部材を、付加的にフロック加工された発泡体から形成し得る点に、言及されている。
【００１１】
最後に、口紅を適用するに際して特に好適であることを意図したアプリケータが、公知である。そのようなアプリケータデバイスは、特に、特許文献７〜９に開示されている。特許文献９においては、アプリケータ表面は、フロック加工グリッドによって形成されている。このグリッドは、フレキシブルな材料から形成することができ、これにより、グリッドを支持部分上へとより容易に配置することができる。そのようなグリッドは、適用時に支持部分に対して変位し得るようには、構成されていない。
【００１２】
最後に、シミ抜き剤を適用するためのアプリケータが公知であり、このアプリケータは、例えば特許文献１０に開示されているように、剛直な支持体上に載置されたループ付き織物を備えている。
【００１３】
特に皮膚または髪に対してといったようなものに対して組成物を適用するための収容適用デバイスを改良する必要性が、存在している。
【特許文献１】米国特許第６，７７３，１８７号明細書
【特許文献２】米国特許第６，７１５，９５１号明細書
【特許文献３】米国特許出願第２００３／０１２９０１６号明細書
【特許文献４】米国特許第５，７２７，８９２号明細書
【特許文献５】米国特許第５，１９９，８０８号明細書
【特許文献６】米国特許第３，６１８，８２５号明細書
【特許文献７】米国特許第３，８０７，８８１号明細書
【特許文献８】米国特許第５，１３１，７７３号明細書
【特許文献９】米国特許第６，７４５，７８１号明細書
【特許文献１０】日本国特開平５−第２８２２６号（１９９３年）
【発明の開示】
【課題を解決するための手段】
【００１４】
本発明の例示としての実施形態においては、収容適用デバイスが提供され、このデバイスは、
−適用のための少なくとも１つの組成物を収容しているリザーバと；
−組成物の適用時およびデバイスの閉塞状態の一方または双方においては、リザーバに対して固定される支持体と；
−この支持体に付設されている非多孔性メンブランであるとともに、組成物を通過させて導出するための少なくとも１つのディスペンサオリフィスを備え、さらに、フロック部分によって外面の少なくとも一部が被覆されているような、非多孔性メンブランと；
を具備し、
メンブランが、支持体およびリザーバの一方または双方と協働することによって、導出される組成物を収容するための内部空間を形成している。
【００１５】
メンブランは、変形し得るという性能（あるいは、支持体および／またはリザーバに対して変形し得るという性能）、および、支持体および／またはリザーバに対して変位し得るという性能、の一方または双方を達成し得るようにして、フレキシブルなものとされている構成、および、支持体および／またはリザーバに対して取り付けられているという構成の一方または双方の構成とすることができ、メンブランの変形および／または変位に基づいて、内部空間の容積は、少なくとも０．１ミリリットル（ｍＬ）だけ低減されることができる。
【００１６】
内部空間の容積に関するそのような変化は、圧力を少しだけ増大させることができる。これにより、組成物をより容易に導出することができる。
【００１７】
これにより、ディスペンサオリフィスを、比較的小さなものとすることができる。これにより、デバイスの上下をひっくり返した際に突発的に組成物が流出することを回避し得るとともに、十分な量の組成物を、使用待受状態とされた適用表面に対して到達させることができる。
【００１８】
容積の低減化は、少なくとも０．５ｍＬとすることができ、好ましくは、少なくとも１ｍＬとすることができ、さらに好ましくは、少なくとも１．５ｍＬとすることができ、また、少なくとも２ｍＬや、少なくとも３ｍＬ、とすることができる。
【００１９】
容積の低減化は、フレキシブルなものとし得るメンブランの変形の結果とすることができる、あるいは、メンブランが剛直であるときには、メンブランの変位の結果とすることができる。
【００２０】
例示としての実施形態においては、メンブランは、剛直なものとすることができ、並進移動によって変位することができる。例示としての様々な実施形態においては、メンブランは、フレキシブルなものとすることができ、付加的に、並進移動によって変位可能とすることができる。
【００２１】
メンブランは、開放セルを有した発泡体とは異なる材料から形成することができる。よって、メンブランは、あらゆる方向に相互連結されたポアを備えていない。
【００２２】
デバイスは、使用時にメンブランの変形を制限する少なくとも１つの部材を備えることができる。この部材は、リザーバ上に固定することができる、あるいは、リザーバに対して一体的に成型することができる。
【００２３】
その部材は、フレキシブルなものとすることができ、組成物の適用時には曲がることができる。
【００２４】
その部材は、例えば、メンブランの内面に対して当接したフィンという態様のものとすることができる。
【００２５】
本発明の例示としての実施形態においては、収容適用デバイスが提供され、このデバイスは、
−適用のための少なくとも１つの組成物を収容しているリザーバと；
−組成物の適用時およびデバイスの閉塞状態の一方または双方においては、リザーバに対して固定される支持体と；
−この支持体に付設されている非多孔性メンブランであるとともに、組成物を通過させて導出するための少なくとも１つのディスペンサオリフィスを備え、さらに、フロック部分によって外面の少なくとも一部が被覆されているような、非多孔性メンブランと；
を具備し、
メンブランが、フレキシブルなものとされ、メンブランが、メンブランの少なくとも一部にわたって、変形し得るという性能（あるいは、支持体および／またはリザーバに対して変形し得るという性能）、および、支持体および／またはリザーバに対して変位し得るという性能、の一方または双方を達成し得るようにして、支持体および／またはリザーバに対して取り付けられており、これにより、メンブランは、例えば少なくとも１．５ミリメートル（ｍｍ）という距離にわたるような好ましくは少なくとも３ｍｍという距離にわたるような、適用を引き起こす領域を備えることができる。
【００２６】
支持体は、リザーバの一部を形成することができ、例えばリザーバのネックによって規定することができる、および／または、支持体は、リザーバ上にメンブランを固定し得るように機能することができる。支持体は、メンブランと一緒に成型することができ、支持体およびメンブランは、例えば、互いに異なる熱可塑性材料から形成される。
【００２７】
支持体は、リザーバ上に取り付けられる部分とすることができる、あるいは、支持体は、リザーバに対する一体部材として成型することができる。
【００２８】
本発明によるデバイスは、発泡体アプリケータ部材に関する上記様々な欠点の全部または一部を克服することができる。本発明によるデバイスは、使用時に、例えば皮膚に対して接触している際にメンブランが変形し得ることのためにおよび／またはメンブランが変位し得ることのために、快適に使用し得ることが判明している。
【００２９】
本発明の一実施形態においては、メンブランは、ディスペンサオリフィスと連通する少なくとも１つのダクトと一緒に成型によって形成される。そのようなダクトは、リザーバからディスペンサオリフィスへと組成物を流すことができ、ディスペンサオリフィスから離れたところにおいてメンブランの下方に組成物が溜まってしまうことを回避することができる。これにより、組成物の損失を低減することができ、および／または、組成物が適用表面に到達するのに必要な時間を短縮することができる。これにより、また、メンブランの下方において圧力が増大した際に、ディスペンサオリフィスを通して組成物をより容易に流すことができる。
【００３０】
さらに、そのようなダクトの存在により、必要であれば、リザーバとディスペンサオリフィスとの間に圧力損失を生成することができる。これにより、組成物の導出速度を、組成物の性質に応じて、および／または、被処理領域の特徴点に応じて、調節することができる。
【００３１】
最後に、上記ダクトの存在により、メンブランの下方に、弾性復帰部材を設けることができる。弾性復帰部材は、例えば金属スプリングからあるいは発泡体から形成されあるいはエア空気のクッションからさえ形成され、組成物に対する接触から保護されている。メンブランは、また、弾性変形可能なものとすることができ、初期形状へと弾性的に復帰することができる。
【００３２】
本発明の一実施形態においては、上記ダクトは、デバイスの筒状部材の内部に沿ってまたは外部に沿ってスライドすることができる。筒状部材は、例えば、上記支持体と一緒に形成することができる。そのようなスライドにより、メンブランを比較的容易に押圧し得るとともに、筒状部材とダクトとの間を実質的に密封的に維持することができる。
【００３３】
組成物が特定の色を有している場合には、メンブランは、有利には、その色と実質的に同じ色のものとして形成することができる。この場合、例えば、フロック部分は、白色とすることができる。フロック部分が組成物によって湿潤された際に、フロック部分付きの白色のメンブランが色付きの組成物によって汚されたように見えてしまうことがないことにより、メンブランの外観性を改良することができる。組成物によって含浸された際には、フロック部分においては、メンブランの色が現れる。メンブランは、また、透明なものや、あるいは、半透明なもの、とすることができる。フロック部分を色付きのものとして、メンブランを白色のものとすることができる。
【００３４】
本発明の一実施形態においては、メンブランは、周縁スカートと一緒に成型によって形成することができる。周縁スカートの高さは、可能であれば、例えば１０ｍｍ以上とすることができる。
【００３５】
例示するならば、そのような周縁スカートは、メンブランをデバイス上に固定し得るように機能することができる。特に、周縁スカートは、メンブランを支持体上に固定することができる。
【００３６】
メンブランが支持体に対して変位可能なものである場合には、周縁スカートは、さらに、支持体に対して変位し得るようにメンブランを案内することができる。
【００３７】
周縁スカートは、メンブランの全体を支持体に対して押圧し得るようなものとして、形成することができる。例えば、周縁スカートは、例えばベローズという形状とされたものといったような弾性変形可能な部分と一緒に、形成することができる。あるいは、周縁スカートは、弾性的なタブを備えることができる。
【００３８】
周縁スカートは、付加的には、支持体および／またはリザーバのうちの、メンブランを受領している方のハウジングの底部に載置することができる。
【００３９】
メンブランは、支持体に対して様々な手法で固定することができる。例えば、メンブランは、支持体上へとスナップ固定したり、あるいは、支持体に対して嵌合したり、あるいは、支持体の折曲エッジによって保持したり、あるいは、追加的な固定部材によって保持したり、することができ、さらには、接着剤や熱シールによって固定することさえ可能であり、さらには、支持体の加熱時やスタンピング時にメンブランまたは支持体を変形させることによって固定することさえ可能である。
【００４０】
リザーバは、フレキシブルな壁または剛直な壁を有することができる。
【００４１】
リザーバには、ポンプを設けることができる。あるいは、リザーバには、ピストンと、このピストンを駆動するための駆動機構と、を設けることができる。
【００４２】
リザーバには、さらに、バルブを設けることができる。そして、導出される組成物は、例えば、加圧空間内に収容することができる。加圧空間の加圧は、例えば、圧縮された推進ガスまたは液化された推進ガスによって、行うことができる。
【００４３】
メンブランは、凹状または凸状とされた外表面を有することができる。少なくとも１つのディスペンサオリフィスを、メンブランの凹所内に、あるいは、メンブランのボスの頂部のところに、配置することができる。
【００４４】
メンブランは、例えばフロック部分のところに、全体的に円形対称形を有し得る形状を備えることができる。
【００４５】
例示するならば、適用時におけるメンブランの上記変形および／または上記変位の距離は、例えば５ｍｍ以上とすることができ、また、５ｍｍ〜１５ｍｍという範囲とすることもできる。
【００４６】
メンブランは、例えばエラストマーといったような圧縮可能な材料から形成することができる。メンブランは、また、例えばメンブランが支持体に対しておよび／またはリザーバに対して変位可能な構成とされる場合には、比較的剛直な材料から形成することができる。
【００４７】
リザーバ内に収容された組成物は、適切であれば、リザーバとメンブランとの間に何らの流通減速機構を設けることなく、ディスペンサオリフィスに対して恒久的に連通することができる。変形例においては、リザーバとディスペンサオリフィスとの間の連通を遮断するための少なくとも１つの遮断機構を、設けることができる。これにより、例えばデバイスの持ち運び時といったようなデバイスの非使用時に、組成物が偶発的に漏れ出ることを回避することができる。
【００４８】
組成物は、例えばデバイスの上下を逆にした後といったような場合に、毛細管現象によってフロック部分へと供給され得るような十分に小さな粘度を有することができる。
【００４９】
本発明の一実施形態においては、ディスペンサオリフィスが占有する比率は、メンブランのうちのフロック部分によって被覆された領域の、７５％未満とすることができ、好ましくは、３０％未満とすることができる。
【００５０】
ディスペンサオリフィスの占有比率は、組成物の粘度に応じて選択することができる。
【００５１】
例示するならば、横断面においては、ディスペンサオリフィスは、２ｍｍ以下という最大寸法を有することができ、例えば、０．４ｍｍ〜１．８ｍｍという範囲の最大寸法を有することができ、好ましくは、０．８ｍｍ〜１．５ｍｍという範囲の最大寸法を有することができる。
【００５２】
ディスペンサオリフィスの形状は、付加的には、円形とすることができる。これにより、ディスペンサオリフィス内において毛細管現象によって保持される組成物の量を増大させることができる。
【００５３】
１つまたは複数のディスペンサオリフィスは、恒久的に開口したものとすることができる、あるいは、休止時には閉塞しておりなおかつ組成物の圧力によって開口するものとすることができる。そのような組成物の圧力は、使用者がリザーバの壁を押圧することに起因するものとされる、あるいは、ピストンの存在に起因するものとされる、あるいは、例えば圧縮されたガスや液化されたガスといったような組成物を加圧し得る他の何らかの手段に起因するものとされる。
【００５４】
支持体は、リザーバを閉塞し得るように構成することができる。
【００５５】
フロック部分によって被覆された表面は、１７５平方ミリメートル（ｍｍ２ ）以上という表面積を有することができる。これにより、身体または顔に対する適用に好適なものとすることができる。
【００５６】
特に、フロック部分によって被覆された領域においては、メンブランの厚さは、０．２ｍｍ〜５ｍｍという範囲とすることができる。
【００５７】
例示するならば、フロック部分を構成する荒毛（あるいは、ブリストル）の長さは、０．２ｍｍ〜２．５ｍｍという範囲とされ、例えば約１．３ｍｍとされる。荒毛の直径は、例えば、１デニール〜３５デニールという範囲とすることができる。フロック部分は、組成物の性質に応じて組成物の望ましい流通が得られるようなものとして、形成することができる。
【００５８】
よって、メンブランは、様々な種類のおよび／または様々な厚さのおよび／または様々な長さの荒毛から構成されたフロック部分を有することができる。これにより、適用表面上において、組成物に関しての、毛細管現象や、円滑さや、流速や、あるいは、導出、に影響を及ぼすことができる。適切であれば、いくつかの荒毛は、例えばより剛直なものとされることによって、摩耗特性を示すことができる。
【００５９】
メンブラン、および／または、フロック部分の荒毛は、磁気的なものとすることができる、および／または、抗菌剤による処理済みのものとことができる。
【００６０】
メンブランおよび／またはフロック部分は、導電性を有したものとして、形成することができる。
【００６１】
適切であれば、メンブランは、髪をマッサージし得るようあるいは髪を取り扱い得るようあるいは髪を処理し得るよう、少なくとも１つの凹凸部分を備えることができる。
【００６２】
１つまたは複数のディスペンサオリフィスは、付加的には、メンブランの中央に配置することができる。ディスペンサオリフィスは、付加的には、デバイスの軸線上に配置することができる。
【００６３】
本発明の一実施形態においては、支持体は、リザーバ上に取り付けることができ、メンブランは、リザーバと支持体との間にクランプされて固定されるリムを備えることができる。リムは、支持体のまたはリザーバの対応リップまたは対応グルーブと協働するような、グルーブまたは環状リップを備えることができる。これにより、シール性をさらに向上させることができる。
【００６４】
例示としての実施形態においては、メンブランは、少なくとも部分的に、係合部上に取り付けることができる。係合部は、上記の支持体とし得るとともに、メンブランをなす材料よりも剛直な材料から形成することができる。
【００６５】
係合部は、少なくとも１つのフィンを備えることができる。フィンは、メンブランの内面形状に対して、実質的に適合する。
【００６６】
係合部は、複数のフィンを備えることができる。これらフィンの先端部は、フリーなものとすることができる、あるいは、環状部分によって互いに連結することができる。環状部分は、組成物のための通路を形成することができる。
【００６７】
デバイスは、閉塞キャップを具備することができ、この閉塞キャップは、デバイスの閉塞状態において、メンブランをカバーすることができる。その閉塞キャップは、１つまたは複数のディスペンサオリフィスを囲むラインに沿ってメンブランに対して係止されるリップを備えることができる。
【００６８】
キャップは、支持体またはリザーバと協働することによって、閉塞キャップと、支持体またはリザーバと、の間において、ディスペンサオリフィスを囲むラインに沿ってメンブランを押圧することができる。
【００６９】
キャップは、内表面を備えることができ、この内表面は、メンブランの外面形状に実質的に適合したものとすることができる。これにより、シール性能を改良することができる、および／または、デバイスの非使用時にフロック部分上に組成物が集積するというリスクを低減することができる。キャップは、デバイスの閉塞状態において、メンブランの少なくとも１つのフロック部分を外部空気に対して連通させ得る１つまたは複数の穴を備えてることができる。フロック部分を乾燥させることができる。キャップは、これに代えて、完全に密封的な態様でもって、支持体上におよび／またはリザーバ上に固定することができる。
【００７０】
デバイスには、振動源（あるいは、振動発生器）を設けることができる。振動源は、着脱可能なものとも、また、恒久的なものとも、することができる。振動源は、使用者によって操作することができる。
【００７１】
例示するならば、振動が付加的に存在することにより、使用者は、所望に応じて、角質材料上に適用される組成物の量を変更することができる。これにより、例えば、ファンデーションの色を変えることができる。適切であれば、振動源の周波数を、可変とすることができる。周波数は、所望の適用条件に応じて、使用者によって調節される。
【００７２】
本発明は、さらに、角質材料を処理する方法を提供するものであり、特に、メークアップを施す方法を提供するものである。本発明による方法においては、組成物を、上述したようなデバイスを使用して適用する。
【００７３】
組成物は、実質的に一定の厚さを有した層という態様でもって、適用することができる。
【００７４】
適用表面は、皮膚上にわたって容易にスライドし得るとともに、適用表面に起因する不純物をほとんど放出することがない。
【００７５】
メンブランが非多孔性であることにより、ほこりが集積するというリスクを低減することができる。
【００７６】
本発明の例示としての実施形態においては、収容適用デバイスが提供され、このデバイスは、
−適用のための少なくとも１つの組成物を収容しているリザーバと；
−組成物の適用時およびデバイスの閉塞状態の一方または双方においては、リザーバに対して固定される支持体と；
−この支持体に付設されている非多孔性メンブランであるとともに、組成物を通過させて導出するための少なくとも１つのディスペンサオリフィスを備え、さらに、フロック部分によって外面の少なくとも一部が被覆されているような、非多孔性メンブランと；
を具備し、
メンブランが、支持体およびリザーバの一方または双方と協働することによって、組成物を収容するための内部空間を形成し、メンブランが、変形し得るという性能（あるいは、支持体および／またはリザーバに対して変形し得るという性能）、および、支持体および／またはリザーバに対して変位し得るという性能、の一方または双方を達成し得るようにして、フレキシブルなものとされている構成、および、支持体および／またはリザーバに対して取り付けられているという構成の一方または双方の構成とされ、メンブランの変形および／または変位に基づいて、内部空間の容積を低減させることができ、メンブランのフロック部分が、１５ｍｍ以上という距離にわたって、デバイスの長手方向軸線に対する横方向に延在している。そのようなフロック部分付きメンブランは、身体や顔に関する広い領域を取り扱うに際して特に好適なものとすることができる。
【００７７】
本発明の例示としての実施形態においては、収容適用デバイスが提供され、このデバイスは、
−適用のための少なくとも１つの組成物を収容しているリザーバと；
−組成物の適用時およびデバイスの閉塞状態の一方または双方においては、リザーバに対して固定される支持体と；
−この支持体に付設されている非多孔性メンブランであるとともに、組成物を通過させて導出するための少なくとも１つのディスペンサオリフィスを備え、さらに、フロック部分によって外面の少なくとも一部が周縁部分までにわたって被覆されているような、非多孔性メンブランと；
を具備し、
メンブランが、周縁部分が変形し得るという性能（あるいは、周縁部分が支持体および／またはリザーバに対して変形し得るという性能）、および、周縁部分が支持体および／またはリザーバに対して変位し得るという性能、の一方または双方を達成し得るようにして、支持体および／またはリザーバに対して取り付けられている。
【００７８】
例示するならば、周縁部分は、チューブ状スカートによって形成することができる。例えば、フロック部分からなる周縁部分の輪郭は、円形とすることができる。
【発明を実施するための最良の形態】
【００７９】
本発明は、添付図面を参照しつつ、本発明を何ら限定するものではなく単なる例示としての以下の詳細な説明を読むことにより、より明瞭に理解することができる。
【００８０】
図１および図２に示すデバイス１は、リザーバ２を備えている。リザーバ２は、例えば化粧品といったような、特に皮膚または髪のためのメークアップ製品またはケア製品といったような、少なくとも１つの組成物Ｐを収容している。デバイス１は、さらに、角質材料に対して組成物Ｐを適用するための適用表面３を形成するディスペンサヘッドを備えている。
【００８１】
例示するならば、組成物Ｐは、頬紅や、ファンデーションや、口紅や、日焼け止めや、ケア製品や、ヘアトリートメントや、痩身剤や、セルフタンニング剤、とされる。
【００８２】
リザーバ２は、ボディ７と、このボディ７に連接されたネック８と、を備えている。ネック８上には、支持体１０が取り付けられている。支持体１０は、メンブラン１２を保持するように、機能する。メンブラン１２の外面は、少なくとも部分的には、適用表面３を形成するフロック部分１３によって被覆されている。
【００８３】
デバイス１は、さらに、閉塞キャップ４を備えている。閉塞キャップ４は、この実施形態においては、支持体１０のネジ山５に対して螺着され得るものとされている。
【００８４】
メンブラン１２は、非多孔性材料から形成されており、例えば、特に熱可塑性エラストマーといったようなエラストマーや；ニトリルベースのエラストマー、または、シリコーンベースのエラストマーや；ポリウレタンや；エチレンプロピレン三元ポリマーゴム（ＥＰＤＭ）；から形成されている。
【００８５】
熱可塑性エラストマーの中からは、以下のエラストマーに言及することができる。すなわち、ポリエチレン（ＰＥ）；ポリスチレン（ＰＳ）；ポリエチレンテレフタレート（ＰＥＴ）；ポリウレタン（ＰＵ）；ポリ塩化ビニル（ＰＶＣ）；エチルビニルアセテート（ＥＶＡ）。適切なエラストマーは、特に、HYTREL（登録商標）や、PEBAX（登録商標）（ポリエーテルブロックアミド）や、SANTOPRENE（登録商標）、といったような商標名で公知である。
【００８６】
考慮している実施形態においては、メンブラン１２のフレキシブルさにより、メンブラン１２は、適用時に被処理表面に対して接触した際に、変形することができる。
【００８７】
メンブラン１２は、有利には、洗浄可能なものとされる。加えて、メンブラン１２は、着脱可能なものとされる。これにより、使用者は、メンブラン１２をリザーバから取り外して洗浄し得るとともに、その後、メンブラン１２を元通りに取り付けることができる。
【００８８】
複数のオリフィス１５が、メンブラン１２を貫通して形成されている。これにより、組成物Ｐは、適用表面３へと到達することができる。
【００８９】
例示するならば、複数のオリフィス１５は、メンブラン１２の成型と一緒に、成型によって形成される。しかしながら、複数のオリフィス１５は、また、メンブランの製造後に、穿孔によって形成することもできる。
【００９０】
オリフィス１５の下端は、メンブラン１２のダクト１８内へと開口している。ダクト１８は、長手方向軸線Ｘ方向において、支持体１０の筒状部材１９に対して係合している。
【００９１】
例示するならば、ダクト１８は、メンブラン１２の残部と一緒に成型することにより、形成されされる。
【００９２】
ダクト１８は、好ましくは円形といったような、横断面形状を有している。
【００９３】
筒状部材１９の基部は、支持体１０の横方向壁２１に対して連結されている。横方向壁２１には、周縁部分２２が連接されている。周縁部分２２は、例えばスナップ留めといったような手法によって、支持体１０のネック８に対して固定され得るように機能する。
【００９４】
ダクト１８の存在は、デバイスの内部においてダクト１８の外部および筒状部材１９の外部に形成された環状チャンバ３０内へと進入する組成物の量を低減させ得るという点において、あるいは、そのような環状チャンバ３０内への組成物の進入を回避し得るという点において、有利である。
【００９５】
メンブラン１２の変形度合いは、メンブランに対して印加される力に依存する。考慮している実施形態においては、メンブラン１２は、例えば使用者がその指でメンブラン１２を押圧した場合には、図３に示すように、少なくともその中心領域においては、レセプタクル（あるいは、リザーバ）２の底部に向けて、少なくとも１．５ｍｍという距離ｄの分だけ、て変形するすることができる。
【００９６】
変形時には、ダクト１８は、何らのクリアランスをも引き起こすことなく、なおかつ好ましくは密封的な態様で、筒状部材１９上にわたってスライドすることができる。
【００９７】
メンブラン１２は、さらに、フロック加工領域からなる周縁領域においては、横方向にも変形するすることができる。メンブラン１２は、身体または顔の大きな面積を処理するに際して、特に好適である。メンブラン１２を上方から観測したときには、フロック加工領域は、軸線Ｘに対して直交する方向において、１５ｍｍ以上という距離ｋにわたって、延在している。
【００９８】
メンブラン１２の厚さｅは、例えば、０．２ｍｍ〜５ｍｍという範囲とされ、好ましくは、０．２ｍｍ〜２ｍｍという範囲とされる。
【００９９】
メンブラン１２は、支持体１０上において、様々な手法で保持することができる。
【０１００】
考慮している実施形態においては、メンブラン１２は、その周縁部分に、取付スカート２６を備えている。取付スカート２６は、凹凸部分２７を有している。この凹凸部分２７は、支持体１０の周縁部分２２に形成された対応する部分に対してスナップ留めされるのに適したものとされている。
【０１０１】
例示するならば、凹凸部分２７は、図２に示すように、環状フランジとされる。この環状フランジは、支持体１０の対応グルーブ２８内へとスナップ留めされ得るように、構成されている。
【０１０２】
デバイス１を使用するに際しては、使用者は、デバイスの上下をひっくり返して、ディスペンサを、倒立状態とすることができる。これにより、重力によって組成物Ｐを筒状部材１９を通して流れさせることができて、組成物Ｐをディスペンサオリフィス１５へと到達させることができる。
【０１０３】
その粘性に応じて、組成物Ｐは、オリフィス１５を通過した後に、フロック加工部分３内へと毛細管現象によって拡散することができる。
【０１０４】
メンブランの変形性により、組成物を収容しているとともにメンブラン１２によって規定されている内部空間２９の容積を変更することができる。これにより、圧力を少しだけ増大させることができて、毛細管現象によってオリフィス１５内に保持されている組成物を、あるいは、毛細管現象によってオリフィス１５の近傍内に保持されている組成物を、適用表面に向けて押し出すことができる。
【０１０５】
内部容積２９の変化は、有利には、少なくとも０．１ｍＬとされ、好ましくは、少なくとも０．５ｍＬとされ、また、少なくとも１ｍＬとすることさえできる。
【０１０６】
加えて、メンブラン１２の変形性が、使用時には初期形状を維持する必要のないものであることのために、なおかつ、被処理領域の形状に適合し得るものであることのために、デバイスの使い勝手が非常に快適なものとされている。
【０１０７】
図４に示す変形例においては、メンブラン１２は、取付スカート２６の下部に位置した複数のフレキシブルタブ３５を有して形成されている。考慮している実施形態においては、図５に示すように、これらタブ３５は、下向きの傾斜を有しているとともに、わずかに内向きに傾斜している。タブ３５は、撓むことができる。これにより、使用時には、取付スカート２６を、レセプタクル（あるいは、リザーバ）の底部に向けて変位させることができる。タブ３５は、当接することとなる支持体１０の横方向壁２１へと向かうにつれて減少するような横断面を有することができる。変形例（図示せず）においては、タブは、それに代えて、様々な態様で変化する横断面形状を有することができる。あるいは、タブは、実質的に一定の横断面形状を有した部分を有することさえ可能である。
【０１０８】
図４の実施形態においては、メンブランのフロック部分は、適用時には、追加的に変形することができる。よって、フレキシブルタブ３５とメンブランのフロック部分との双方が変形可能であることは、有利なものとすることができる。
【０１０９】
図６の実施形態においては、取付スカート２６は、ベローズという態様とされた変形可能部分３７を有して形成されている。変形例（図示せず）においては、取付スカート２６は、ベローズ３７とフレキシブルタブ３５との双方を有して形成される。
【０１１０】
図７の実施形態においては、メンブラン１２の全体が、レセプタクル（リザーバ）の底部に向けて変位することができる。例えば、メンブランの全体は、距離ｗの分だけ、下向きにスライドことができる。そのような変形例においては、メンブラン１２は、フレキシブルではないものとすることができる。
【０１１１】
取付スカート２６は、例えば環状フランジといったような凹凸部分３９を有して形成することができる。支持体１０は、環状フランジ３９の高さより大きい高さを有しているグルーブ３８を備えることができる。これにより、メンブラン１２を軸線方向に変位させることができる。
【０１１２】
弾性復帰部材を、チャンバ３０内に配置することができる。弾性復帰部材は、図７の実施形態の場合のように、スプリング４２の形態とすることができる。あるいは、弾性復帰部材は、図８に示すように、発泡体ブロック５０の形態とすることができる。
【０１１３】
メンブラン１２は、また、プラスチック材料の成型により、弾性変形可能な復帰部材５１と一緒に単一部材として、形成することができる。復帰部材は、例えば、レセプタクル（リザーバ）の壁に対して係止され得るように、構成される。あるいは、復帰部材は、図９に示すように、取付部分５２によって支持体１０に対して取り付けられ得るように、構成される。
【０１１４】
変形例（図示せず）においては、メンブランは、例えば２つの材料のデュアル注入によってといったような手法によって、支持体および／またはリザーバと一緒に、単一部材として形成される。メンブランは、よって、フレキシブルな材料から成型によって形成することができる。
【０１１５】
図９の実施形態においては、メンブラン１２は、上記実施形態におけるダクト１８を備えておらず、さらに、取付スカート２６は、例えば、支持体１０のネック５３内において実質的に密封的な態様でスライド可能なものとして、構成されている。
【０１１６】
メンブラン１２は、例えば、組成物の性質に応じて、また、被処理領域に応じて、様々な初期形状のものとして、形成することができる。
【０１１７】
例えば、フロック部分１３によって被覆された領域においては、メンブラン１２は、図１０に示すように、全体的に凹形状のものとすることができる。この場合、オリフィス１５は、例えば、凹領域の底部において、ダクト１８の内部に向けて放射状に、配置されている。
【０１１８】
全体的に凹形状であることにより、毛細管現象によって、フロック部分の荒毛に、容易に組成物を溜めることができ、毛細管現象によって皮膚または髪を容易に乾燥させることができる。
【０１１９】
図１１の変形例においては、メンブラン１２の凹形状領域は、メンブラン１２のうちの、ダクト１８の内部へと向かった領域に制限されている。
【０１２０】
図１２の実施形態においては、メンブラン１２は、フロック部分１３によって被覆されている部分にわたって全体的に凸形状を有している。図１３の実施形態においては、メンブラン１２の凸形状領域は、メンブラン１２のうちの、ダクト１８の内部へと向かった領域に制限されている。
【０１２１】
図１４の実施形態においては、メンブラン１２は、段部付きの形状を有している。この場合、部分６０が、周縁部分６１よりも隆起している。ディスペンサオリフィス１５は、実質的に、部分６０，６１の接合部分に配置されている。
【０１２２】
ディスペンサオリフィス１５は、適用表面上へと、様々な手法によって、供給を行うことができる。
【０１２３】
例示するならば、ディスペンサオリフィス１５は、図１５に示すように、中央部分に集めることができる、あるいは、図１６に示すように、複数の同心円内に配置することができる、あるいは、図１７に示すように、複数のクラスターへとグループ分けすることができる。
【０１２４】
ディスペンサオリフィスは、また、スロットという態様のものとすることができる。例えば、図１８に示すように、一端において互いに連結された複数のスロットとすることができる、あるいは、図１９に示すように、例えば互いに直交する等の態様でもって、互いに交差した２つのスロットとすることができる、あるいは、単一のスロットとすることができる。スロットは、矩形形状を有することができる、あるいは、図２０に示すように、部分６３を有した鍵穴形状とすることができる。部分６３は、組成物の圧力によって持ち上げられることができる。部分６３は、休止時には、材料ブリッジ６４によって、メンブランに対して取り付けられている。ディスペンサオリフィスは、また、グリッドを穿孔することによっても、形成することができる。
【０１２５】
１つまたは複数のディスペンサオリフィス１５は、休止時（すなわち、不使用時）には閉塞しているものとすることができる。１つまたは複数のディスペンサオリフィス１５は、組成物の圧力によって開口することができる。
【０１２６】
ディスペンサオリフィスは、また、図２１〜図２３に示すように、恒常的に開口したものとすることができる。ディスペンサオリフィスは、図２１に示すように、円形という横断面形状を有することができる、あるいは、例えば図２２に示すような正方形といったような、多角形という横断面形状を有することができる、あるいは、図２３に示すように、菱形形状という横断面形状を有することができる。多角形という横断面形状は、毛細管現象による組成物の保持能力を増大させることができる。
【０１２７】
メンブラン１２を上方から観測した際には、メンブランは、様々な形状を有することができる。例えば、図２４に示すように、円形形状を有することができる。メンブラン１２は、また、図２５に示すように、長円形状を有することができ、また、図２６に示すように、特に三角形状といったような多角形状を有することができ、また、図２７に示すように、正方形形状を有することができ、また、図２８に示すように、実質的に長方形形状を有することができる。
【０１２８】
メンブラン１２は、また、上方から観測した際には、図２９に示すように、実質的に腎臓のような形状のものとすることができる。
【０１２９】
メンブラン１２は、図３０に示すように、全体的にドーム形状のものとすることができる。その場合、オリフィス１５は、実質的にドームの頂部に配置される。
【０１３０】
ドーム形状は、図３０の実施形態の場合のように、軸線Ｘに関して対称であるような円形のものとすることができる。ドーム形状は、また、図３１に示すように、ピラミッド形状のものとすることもできる。
【０１３１】
メンブランの形状にかかわらず、１つまたは複数のディスペンサオリフィス１５は、メンブランの頂部に配置することができる、あるいは、図３２に示すように、メンブラン１２の側面上においてのみ開口するものとすることができる。
【０１３２】
この図においては、ディスペンサオリフィス１５が、メンブラン１２の頂部から所定距離ｒだけ離間したところに位置していることがわかる。この距離ｒは、例えば、数ミリメートルとされる。
【０１３３】
メンブラン１２は、周縁部分にリム６６を有したものとして形成することができる。そして、キャップ４は、図３３に示すように、このキャップ４をリザーバ２上に所定に配置したときにキャップ４がリム６６に対して係合し得るものとして、形成することができる。これにより、密封的な態様でデバイスを閉塞することができる。
【０１３４】
この図においては、さらに、取付スカート２６が、支持体１０の外面をカバーし得ることがわかる。その外面は、例えば、リザーバ２の頂部によって形成されている。
【０１３５】
図示のように、ダクト１８は、筒状部材１９内に挿入することができる。
【０１３６】
図３４の変形例においては、メンブラン１２は、リム７０を有して形成されている。リム７０は、リザーバ２のネック８と、リザーバ２に対して取り付けられた支持体１０と、の間に挟まれる。
【０１３７】
例示するならば、ネック８は、環状リブ７１を有して形成される。そして、支持体１０は、対応する環状リブ７２を有して形成される。これにより、リム７０を効果的に挟むことができる。
【０１３８】
キャップ４は、図示のように、キャップ４がリザーバ２上の所定位置に配置されたときには、支持体１０に対して係止されるシールスカート７３を備えることができる。この図においては、メンブラン１２が、ダクト１８無しで形成されていることがわかる。
【０１３９】
図３５の変形例においては、メンブラン１２は、複数の凹凸部分８０を有して形成されている。これら凹凸部分８０は、フロック部分１３によってカバーされている。これら凹凸部分８０は、例えば、髪を取り扱うことを意図したものとされる。メンブラン１２は、筒状部材１９の頂部端部８２に対して係合することができる。これにより、メンブラン１２のうちの、取付スカート２６とダクト１８との間において径方向に位置した部分だけが、使用時に変形することができる。
【０１４０】
キャップ４は、リップ８５を有したものとして形成することができる。リップ８５は、キャップ４が所定に配置されたときには、筒状部材１９とは反対側に位置した面上においてメンブラン１２に対して係止されることができる。これにより、メンブラン１２を、筒状部材１９とリップ８５との間にクランプする（あるいは、固定する）ことができる。よって、メンブランのフロック表面のうちの、リップ８５よりも径方向外側に位置した部分上へと、組成物が溢れ出すというリスクを低減することができる。これにより、適切であれば、図３６に示すように、キャップ４にエアベント９０を形成することができる。これにより、リップ８５よりも径方向外側に位置したフロック部分１３を、より容易に乾燥させることができる。
【０１４１】
変形例（図示せず）においては、キャップは、メンブランに対して係止し得るよう構成された部分を備えている。この部分は、ディスペンサオリフィスの領域においてメンブランを押圧することができ、これにより、ディスペンサオリフィスを通して組成物が漏れ出ることを防止することができる。
【０１４２】
１つまたは複数のディスペンサオリフィス１５は、組成物を収容しているリザーバの内部空間に対して、恒久的に連通することができる。この構成は、必須ではない。デバイスは、１つまたは複数のディスペンサオリフィス１５とリザーバの内部空間との間の流体連通を遮断し得る機構を備えることができる。
【０１４３】
図３７の実施形態においては、支持体１０は、第１位置と第２位置との間にわたって、リザーバ２に対して移動することができる。ここで、第１位置とは、筒状部材１９によって規定されたなおかつリザーバ２に対して取り付けられたノズル９６によって規定された環状通路９２を通して、組成物を収容しているリザーバの内部空間から、ディスペンサオリフィス１５にまで、組成物が流れ得るような位置であり、第２位置とは、支持体１０が通路９２を閉塞している位置である。
【０１４４】
支持体１０は、リザーバ２のネック８上において移動可能である。支持体１０は、第１に、ネック８の頂部端部に形成されたカラー９７によって、第２に、例えば支持体上に形成された歯または環状フランジといったような１つまたは複数の凹凸部分によって、ネック８上に保持されている。
【０１４５】
図３７の実施形態においては、筒状部材１９を円錐台形状のものとして形成し得ることを、観測することができる。これにより、ノズル９６が筒状部材１９を押圧した際に、デバイスをより容易に閉塞することができる。
【０１４６】
開放位置から閉塞位置への移行、および、閉塞位置から開放位置への移行は、例えば並進移動可能とされた支持体１０によって実施することができる、あるいは、変形例においては、回転移動可能とされた支持体１０によって実施することができる。後者の場合、支持体とリザーバ２との少なくとも一方は、そのような回転移動を、ノズル９６に対しての筒状部材１９の軸線方向並進移動へと、変換し得るような傾斜部を備えている。
【０１４７】
図３８に示すように、１つまたは複数のディスペンサオリフィス１５とリザーバ内部との間の連通を遮断するための遮断機構は、また、ディスク１００によって構成することができる。ディスク１００は、開放位置と閉塞位置との間にわたって支持体１０を移行させ得るものである。ディスク１００は、支持体１０に対してスナップ固定し得るものであるとともに、ディスペンサオリフィス１５をリザーバ２の内部に対して連通させ得るオリフィス１０３を閉塞し得るよう構成された部分１０１を備えることができる。
【０１４８】
この実施形態においては、ダクト１８は、ディスクの筒状部材１０５に対して係止される。筒状部材１０５は、例えば、支持体１０の筒状部材１９によって回転が案内される。メンブラン１２は、ディスク１００と一緒に回転することができる。
【０１４９】
図３８に示すように、キャップ４は、リップ１１０を有したものとして形成することができる。リップ１１０は、メンブラン１２に対して係止されるものである。これにより、リップ１１０よりも径方向外側に位置したフロック部分１３上へと、組成物が溢れ出すというリスクを低減することができる。
【０１５０】
図３９は、支持体１０が横方向壁を備えているという他の実施形態を示している。横方向壁を貫通して、オリフィス１１５が形成されている。これらオリフィス１１５は、互いに同軸とされた２つのスカート１１８，１１９の間において開口している。
【０１５１】
ディスク１２０は、支持体１０に対して設けられるものであって、２つのスカート１２３，１２４を備えている。これらスカート１２３，１２４は、横方向壁１３８から延出されているとともに、それぞれスカート１１９，１１８に対して係止されている。スカート１２３とスカート１１９との係止によって、恒久的なシールが得られている。
【０１５２】
支持体１０に対してのディスク１２０の角度位置を所定のものとし得るよう、通路１３０が設けられている。通路１３０は、メンブラン１２の下方のスペース１３１に対する供給を可能としている。メンブランは、ディスクの折曲エッジ１３６によって、ディスク１２０上に固定することができる。その折曲エッジは、横方向壁１３８に対してメンブラン１２の周縁部分をクランプ（固定）する。
【０１５３】
上述したすべての実施形態においては、組成物の粘性に基づいて組成物を導出する際には、使用者は、デバイスの上下をひっくり返すことができる。これにより、組成物は、重力によって流れ出る。使用者は、また、リザーバ２をシェイクする（振る）ことができる。
【０１５４】
使用者は、組成物がディスペンサオリフィスを通過することを促進させ得るようにして、メンブランを変形させたり、および／または、メンブランを変位させたり、することができる。
【０１５５】
適切であれば、リザーバは、フレキシブルな壁を有したものとして形成することができる。これにより、使用者は、リザーバ容積を低減させるようにフレキシブル壁を押圧することによって、ディスペンサオリフィスを通して組成物を流れ出させることができる。例示するならば、リザーバ２は、フレキシブルチューブという態様のものとすることができる。
【０１５６】
図４１に示すように、リザーバ２は、また、ピストン１４０を有したものとして形成することができる。ピストン１４０は、ネジ１４１とノブ１４２とによって駆動され得るものである。ノブ１４２を回すことによって、使用者は、組成物を、ディスペンサオリフィス１５に向けて、リザーバのネック８内を通して流れさせることができる。
【０１５７】
メンブランは、図４２に示すように、リザーバ２の長手方向軸線Ｚに対して角度αを形成している軸線Ｙに関して対称であるような形状を有することができる。
【０１５８】
デバイスは、振動源を有したものとして形成することができる。振動源は、例示するならば、図４３に示すように、リザーバ２の隔室１６１内に配置された電気モータ１６０を備えている。隔室１６１は、組成物を収容している隔室からは絶縁されている。電気モータ１６０は、オフセンター錘１６２を駆動することによって、振動を引き起こすことができる。
【０１５９】
電気モータ１６０は、特にボタン型電池１６３といったような、１つまたは複数のバッテリによって電力供給されることができる。
【０１６０】
モータ１６０を起動させ得るよう、スイッチ１６４を設けることができる。
【０１６１】
リザーバ２は、着脱可能な底部１６６を備えることができる。これにより、バッテリ１６３を交換することができる。
【０１６２】
振動は、要望に応じて、適用される層の厚さを変更したり、および／または、組成物の流動速度を変更したり、および／または、被処理領域を刺激したり、することができる。
【０１６３】
変形例においては、振動源は、また、着脱可能なものとすることができる。これに代えてあるいはこれに加えて、振動源は、使用者によって振動周波数が変更され得るものとすることができる。
【０１６４】
図４４に示すように、デバイスは、また、電極１７０を有したものとして形成することができる。電極１７０は、スイッチ１７２を介して、例えば１．５ボルト（Ｖ）〜９Ｖのバッテリといったような電源１６５に対して接続し得るものとすることができる。メンブランは、例えば電極の配置状況に応じて、電気伝導性材料からまたは電気絶縁性材料から形成することができる。
【０１６５】
メンブラン１２は、適用時には、リザーバ２に対して固定されていないものとすることができる。しかしながら、メンブラン１２は、図４５に示すように、閉塞状態においては、リザーバに対して固定される。この図においては、リザーバの閉塞キャップを、メンブラン１２に対する支持体として機能する筒状部材１８０を有したものとして形成し得ることが、わかる。支持体１０は、内部にメンブラン１２が受領されるようなハウジング１９０を形成することができる。ハウジングの底部においては、複数のオリフィス１９５が開口しており、これにより、組成物がメンブラン１２に向けて流れるのを可能としている。
【０１６６】
デバイスが閉塞された状態で上下をひっくり返されたときには、組成物Ｐは、オリフィス１９５を通してさらにメンブラン１２のオリフィス１５を通して、流れることとなる。これにより、組成物Ｐは、筒状部材１８０の内部に形成されたチャンバ１９６の中に溜まることとなる。このようにして溜められた組成物は、蓄えを構成する。これにより、アプリケータの使用可能時間を長くすることができる。
【０１６７】
加えて、メンブラン１２の変形時には、ポンピング効果を引き起こすことができる。
【０１６８】
組成物は、メンブラン１２の弛緩時に吸収させることができる。そのような弛緩は、チャンバ１９６の容量増加を引き起こす。
【０１６９】
メンブランの変形により、また、圧力を増大させることができる。これにより、チャンバ１９６の容積を低減させることによって、チャンバ１９６内に存在している組成物を、ディスペンサオリフィス１５を通して導出することができる。
【０１７０】
図４６は、図４５のデバイスの変形例を示している。この変形例においては、メンブラン１２は、キャップ４に対して可動とされた保持部材２００上に取り付けられている。
【０１７１】
保持部材２００は、横方向壁２０１を備えている。横方向壁２０１は、スプリング２０２の一端を係止している。スプリング２０２の他端は、キャップ４に係止されている。
【０１７２】
図４７に示すデバイスは、周縁部分に環状リム２１３を有したメンブラン１２を備えている。環状リム２１３は、リザーバ２のネックと、支持体１０の対応部分と、の間に係合されている。
【０１７３】
メンブランのリム２１３は、環状グルーブ２１０を備えている。そして、支持体１０は、グルーブ２１０内において係合している環状リップ２１１を備えている。これにより、これは、メンブランがリザーバ２上に取り付けられている場所におけるシールと、メンブランが支持体１０上に取り付けられている場所におけるシールと、を改良することができる。
【０１７４】
この図は、さらに、メンブラン１２の内面上に、補剛フィン２２０を付設し得る可能性を示している。それらフィンは、図４８に示すように、軸線Ｘ回りにおいて環状に配置されている。
【０１７５】
フィン２２０の存在により、適用時に、メンブラン１２の強度を増大させることができる。
【０１７６】
図５３は、変形例を示している。この変形例においては、デバイスは、係合部２８０を備えている。
【０１７７】
係合部２８０は、例えば、非エラストマープラスチック材料から形成されているとともに、上述した様々な実施形態における支持体１０と同じ役割を果たすことができる。
【０１７８】
係合部をなす材料は、メンブランをなす材料よりも、剛直なものとすることができる。
【０１７９】
図示の実施形態においては、係合部２８０は、リザーバに対して取り付けられているとともに、環状部分２７０を備えている。環状部分２７０には、環状ビーズ２７３が設けられている。環状ビーズ２７３は、メンブラン１２の対応グルーブ２７２内に係合している。
【０１８０】
係合部２８０は、例えばネジ山といったような凹凸部分２８２を備えることができる。凹凸部分２８２は、キャップ４の取付を可能としている。
【０１８１】
図示の実施形態においては、係合部２８０は、レセプタクル（リザーバ）２のネック８に取り付けられており、メンブラン１２は、係合部２８０に取り付けられている。しかしながら、係合部２８０は、ネック８に対して取り付けられることができ、メンブラン１２は、少なくとも１つの付加的部材を使用することによって、係合部２８０に対して取り付けられることができる。
【０１８２】
係合部２８０は、メンブランの変形を制限する部材を備えている。このような部材は、例えば、メンブラン１２の内面に当接するフレキシブルフィン２７５とすることができる。
【０１８３】
フィン２７５は、例えば、図５４および図５５に示すように、軸線Ｘ回りにおいて環状配置することができる。フィンの数は、６個とすることができる。
【０１８４】
図５４は、フィン２７５が、環状部分２７０に対して連結されている基端部２７６と、フリーな先端部２７７と、を備えている実施形態を示している。
【０１８５】
フィン２７５は、一定の幅のものとすることも、あるいは、そうではないものとすることも、できる。例えば、フィンの基端部を、先端部よりも広いものとすることができる。
【０１８６】
図５５は、フィン２７５の先端部２７７が環状部分２７９によって互いに連結されているような変形例を示している。
【０１８７】
環状部分２７９は、複数の開口を有することができる。これら開口は、オリフィス１５と一致させることができる。
【０１８８】
図示していない変形例においては、フィン２７５は、レセプタクル（リザーバ）のネック８上に形成することができる。
【０１８９】
フィン２７５の存在により、適用時の、メンブラン１２の形状維持能力を改良することができる。それは、メンブランの変形を制限し得るからである。
【０１９０】
キャップ４は、メンブラン１２のフロック加工領域の形状に実質的に適合した内表面２２５を有することができる。これにより、デバイスの閉塞状態においてメンブラン１２とキャップ４との間に形成される空間の容積を低減させることができる。キャップ４は、環状シールリップ２２６を有したものとして形成することができる。環状シールリップ２２６は、図４７および図５３に示すように、支持体１０の環状突起２２９を係止し得るものである。
【０１９１】
図４９および図５０において概略的に示すように、本発明に基づいて形成された複数のデバイスを、セット２３０または２４０内において、互いに関連させることができる。
【０１９２】
セット２３０は、２つのリザーバ２ａ，２ｂと、それぞれに対応する２つのフロック部分付きメンブランと、を備えている。リザーバは、連結部材２３１によって互いに連結され得るものとされる。連結部材２３１は、また、各リザーバに対する閉塞キャップとしても機能する。
【０１９３】
例示するならば、連結部材２３１は、リザーバ２ａ，２ｂのそれぞれに対して螺着されるためのネジ山２３２，２３３を備えている。
【０１９４】
例示するならば、リザーバ２ａ，２ｂは、日除け特性が互いに異なるようなあるいは日焼け防止指数が互いに異なるような２つの組成物を収容している。例えばベースコートおよびトップコートとしてといったようにして、２つの組成物を順次的に適用することができる。
【０１９５】
セット２４０においては、フロック部分付きメンブランは、デバイスの両サイドに配置されている。これらメンブランは、それぞれのキャップ４ａ，４ｂによってカバーすることができる。
【０１９６】
リザーバ２は、双方のフロック部分付きメンブランに関して共通のものとされている。例示するならば、リザーバ２は、それぞれのメンブランによって適用されることとなる互いに異なる組成物を収容している２つの隔室を備えている。各メンブランは、それぞれ対応するキャップ４ａ，４ｂと関連する。
【０１９７】
変形例（図示せず）においては、リザーバ２は、単一の組成物を備えている。そして、フロック部分付きメンブランが、互いに異なる形状を有している。例えば、一方のメンブランは、顔以外の身体を取り扱うのに適したものとされ、他方のメンブランは、顔を取り扱うのに適したものとされる。
【０１９８】
図５１の変形例においては、リザーバ２は、コンパクトという態様とされている。リザーバ２は、蓋２６０によって閉塞することができる。考慮している実施形態においては、蓋２６０は、リザーバ２に対してヒンジ結合されている。これに代えて、蓋２６０は、リザーバ２に対して、他の様々な手法によって取り付けることができる。例えば、リザーバに対してネジ止めしたり、スナップ固定したり、することができる。組成物は、例えばメンブランを指で押すことによってといった手法によって、メンブラン１２から採取される。メンブランを変形させることによって、メンブランの下方の内容積を低減させることができ、その結果としての圧力増加によって、メンブランの外表面に向けて、オリフィス１５内に毛細管現象によって、保持することができる。例示するならば、組成物は、リザーバをシェイクした後に採取することができる。
【０１９９】
本発明は、例示された様々な実施形態に限定されるものではない。
【０２００】
上述したいろいろな実施形態における様々な特徴点は、例示していない実施形態において、互いに組み合わせることができる。
【０２０１】
例えば、上述した任意のデバイスに対して、振動源を付設することができる。
【０２０２】
図示した任意のリザーバに対して、図示した任意のメンブランを付設することができる。
【０２０３】
ディスペンサオリフィスは、図１５〜図２０における任意の態様でもって配置することができる。
【０２０４】
ディスペンサオリフィス１５の断面形状は、図２１〜図２３に図示したようなものとすることができる。そして、同じことは、フロック部分付きメンブランの平面視における形状についても、あてはまる。
【０２０５】
振動源は、支持体に付設することもできる。
【０２０６】
すべての実施形態において、組成物が色付きのものである場合には、メンブランは、有利には、組成物と実質的に同じ色のものとして形成することができる。フロック部分は、白色とすることができる。フロック部分が組成物によって湿潤された際には、メンブランの色が現れることができる。これにより、メンブラン上における組成物を視認することがより困難なものとなり、これにより、デバイスの外観性を改良することができる。
【０２０７】
メンブランは、メンブランを受領しているハウジングの軸線方向に沿ってだけではなく、そのような軸線方向に対する直交方向においても、変形し得るようにして、形成することができる。
【０２０８】
『を備えている』という表現は、特に指定しない限りにおいては、『少なくとも１つのものを備えている』と同義であるものとして、理解されるべきである。
【図面の簡単な説明】
【０２０９】
【図１】本発明の一実施形態をなす収容適用デバイスの一例を示す正面図である。
【図２】図１のデバイスの一部を示す軸線方向断面図である。
【図３】図２の一部を拡大して示す図であって、メンブランの変形可能性を示している。
【図４】図２と同様の図であって、一変形例を示している。
【図５】図４における領域Vを拡大して示す図である。
【図６】本発明の一変形例におけるメンブランを個別的に示す図である。
【図７】図２と同様の図であって、本発明の他の変形例を示している。
【図８】図２と同様の図であって、本発明のさらに他の変形例を示している。
【図９】図２と同様の図であって、本発明のなおも他の変形例を示している。
【図１０】メンブランの様々な実施形態を個別的に示す軸線方向断面図である。
【図１１】メンブランの様々な実施形態を個別的に示す軸線方向断面図である。
【図１２】メンブランの様々な実施形態を個別的に示す軸線方向断面図である。
【図１３】メンブランの様々な実施形態を個別的に示す軸線方向断面図である。
【図１４】メンブランの様々な実施形態を個別的に示す軸線方向断面図である。
【図１５】ディスペンサオリフィスに関する様々な配置や様々な形状についてのいろいろな例を示す概略的な平面図である。
【図１６】ディスペンサオリフィスに関する様々な配置や様々な形状についてのいろいろな例を示す概略的な平面図である。
【図１７】ディスペンサオリフィスに関する様々な配置や様々な形状についてのいろいろな例を示す概略的な平面図である。
【図１８】ディスペンサオリフィスに関する様々な配置や様々な形状についてのいろいろな例を示す概略的な平面図である。
【図１９】ディスペンサオリフィスに関する様々な配置や様々な形状についてのいろいろな例を示す概略的な平面図である。
【図２０】ディスペンサオリフィスに関する様々な配置や様々な形状についてのいろいろな例を示す概略的な平面図である。
【図２１】ディスペンサオリフィスに関する様々な例を示す横断面図である。
【図２２】ディスペンサオリフィスに関する様々な例を示す横断面図である。
【図２３】ディスペンサオリフィスに関する様々な例を示す横断面図である。
【図２４】メンブランに関する様々な例を示す平面図である。
【図２５】メンブランに関する様々な例を示す平面図である。
【図２６】メンブランに関する様々な例を示す平面図である。
【図２７】メンブランに関する様々な例を示す平面図である。
【図２８】メンブランに関する様々な例を示す平面図である。
【図２９】メンブランに関する様々な例を示す平面図である。
【図３０】本発明の一実施形態をなすデバイスを示す正面図である。
【図３１】メンブランの他の実施形態を個別的に示す斜視図である。
【図３２】他のデバイスにおける一部を示す正面図である。
【図３３】ディスペンサヘッドに関する様々な変形例を概略的にかつ部分的に示す長手方向断面図である。
【図３４】ディスペンサヘッドに関する様々な変形例を概略的にかつ部分的に示す長手方向断面図である。
【図３５】ディスペンサヘッドに関する様々な変形例を概略的にかつ部分的に示す長手方向断面図である。
【図３６】ディスペンサヘッドに関する様々な変形例を概略的にかつ部分的に示す長手方向断面図である。
【図３７】ディスペンサヘッドに関する様々な変形例を概略的にかつ部分的に示す長手方向断面図である。
【図３８】ディスペンサヘッドに関する様々な変形例を概略的にかつ部分的に示す長手方向断面図である。
【図３９】ディスペンサヘッドに関する様々な変形例を概略的にかつ部分的に示す長手方向断面図である。
【図４０】他の変形例を一部断面でもって示す正面図である。
【図４１】他の変形例を一部断面でもって示す正面図である。
【図４２】他の変形例を一部断面でもって示す正面図である。
【図４３】他の変形例を一部断面でもって示す正面図である。
【図４４】他の変形例を一部断面でもって示す正面図である。
【図４５】他の変形例を一部断面でもって示す正面図である。
【図４６】図４５のデバイスの一変形例を詳細に示す図である。
【図４７】一変形例をなすデバイスを示す長手方向断面図である。
【図４８】図４７においてXLVIII方向から見た図であって、メンブランだけを示している。
【図４９】様々な変形例を一部断面でもって概略的に示す図である。
【図５０】様々な変形例を一部断面でもって概略的に示す図である。
【図５１】本発明の一実施形態をなすデバイスの他の例を示す概略的な斜視図である。
【図５２】図５１におけるLII−LII線に沿った矢視断面図である。
【図５３】一変形例をなすデバイスを示す長手方向断面図である。
【図５４】図５３において L方向から見た一部を示す概略的な図であって、メンブランだけを示している。
【図５５】図５３において L方向から見た一部を示す概略的な図であって、メンブランだけを示している。
【符号の説明】
【０２１０】
１  収容適用デバイス
２  リザーバ
１０  支持体
１２  非多孔性メンブラン
１３  フロック部分
１５  ディスペンサオリフィス
１８  ダクト
１９  筒状部材
２６  周縁スカート
２９  内部空間
３１  周縁部分
３７  ベローズ
７０  リム
８５  リップ
９０  エアベント（穴）
Ｐ  組成物
【図１】
2007216025.tif 000003
【図２】
2007216025.tif 000004
【図３】
2007216025.tif 000005
【図４】
2007216025.tif 000006
【図５】
2007216025.tif 000007
【図６】
2007216025.tif 000008
【図７】
2007216025.tif 000009
【図８】
2007216025.tif 000010
【図９】
2007216025.tif 000011
【図１０】
2007216025.tif 000012
【図１１】
2007216025.tif 000013
【図１２】
2007216025.tif 000014
【図１３】
2007216025.tif 000015
【図１４】
2007216025.tif 000016
【図１５】
2007216025.tif 000017
【図１６】
2007216025.tif 000018
【図１７】
2007216025.tif 000019
【図１８】
2007216025.tif 000020
【図１９】
2007216025.tif 000021
【図２０】
2007216025.tif 000022
【図２１】
2007216025.tif 000023
【図２２】
2007216025.tif 000024
【図２３】
2007216025.tif 000025
【図２４】
2007216025.tif 000026
【図２５】
2007216025.tif 000027
【図２６】
2007216025.tif 000028
【図２７】
2007216025.tif 000029
【図２８】
2007216025.tif 000030
【図２９】
2007216025.tif 000031
【図３０】
2007216025.tif 000032
【図３１】
2007216025.tif 000033
【図３２】
2007216025.tif 000034
【図３３】
2007216025.tif 000035
【図３４】
2007216025.tif 000036
【図３５】
2007216025.tif 000037
【図３６】
2007216025.tif 000038
【図３７】
2007216025.tif 000039
【図３８】
2007216025.tif 000040
【図３９】
2007216025.tif 000041
【図４０】
2007216025.tif 000042
【図４１】
2007216025.tif 000043
【図４２】
2007216025.tif 000044
【図４３】
2007216025.tif 000045
【図４４】
2007216025.tif 000046
【図４５】
2007216025.tif 000047
【図４６】
2007216025.tif 000048
【図４７】
2007216025.tif 000049
【図４８】
2007216025.tif 000050
【図４９】
2007216025.tif 000051
【図５０】
2007216025.tif 000052
【図５１】
2007216025.tif 000053
【図５２】
2007216025.tif 000054
【図５３】
2007216025.tif 000055
【図５４】
2007216025.tif 000056
【図５５】
2007216025.tif 000057
【外国語明細書】
2007216025.tif 000058
2007216025.tif 000059
2007216025.tif 000060
2007216025.tif 000061
2007216025.tif 000062
2007216025.tif 000063
2007216025.tif 000064
2007216025.tif 000065
2007216025.tif 000066
2007216025.tif 000067
2007216025.tif 000068
2007216025.tif 000069
2007216025.tif 000070
2007216025.tif 000071
2007216025.tif 000072
2007216025.tif 000073
2007216025.tif 000074
2007216025.tif 000075
2007216025.tif 000076
2007216025.tif 000077
2007216025.tif 000078
2007216025.tif 000079
2007216025.tif 000080
2007216025.tif 000081
2007216025.tif 000082
2007216025.tif 000083
2007216025.tif 000084
2007216025.tif 000085
2007216025.tif 000086
2007216025.tif 000087
2007216025.tif 000088
2007216025.tif 000089
2007216025.tif 000090
2007216025.tif 000091
2007216025.tif 000092
2007216025.tif 000093
2007216025.tif 000094
2007216025.tif 000095
2007216025.tif 000096
2007216025.tif 000097
2007216025.tif 000098
2007216025.tif 000099
2007216025.tif 000100
2007216025.tif 000101
2007216025.tif 000102
2007216025.tif 000103
2007216025.tif 000104
2007216025.tif 000105
2007216025.tif 000106
2007216025.tif 000107